(57)【要約】【課題】受信信号のレベルの幅が大きくても、正確に受信信号を得ることが可能な無線通信装置を提供する。【解決手段】無線信号を受信アンテナ部３１から受信して受信信号とする無線通信装置において、受信した無線信号の利得を調整して受信信号を出力する利得調整部３２と、受信信号の受信状態に応じて、前記利得調整部３２が出力する受信信号の減衰量を調整する制御部５を備えた。利得調整部３２は、受信した無線信号を、増幅する増幅部および減衰するアッテネータと、増幅部およびアッテネータを切り替える切替部とを備えており、制御部５は、受信信号の減衰量を増加させたいときに、アッテネータ側に切り替えるよう切替部に指示するものである。【選択図】図１
2008010915.tif 000002
【特許請求の範囲】
【請求項１】
無線信号をアンテナから受信して受信信号とする無線通信装置において、
前記受信信号の受信状態に応じて、受信信号の減衰量を調整する制御部を備えたことを特徴とする無線通信装置。
【請求項２】
前記受信した無線信号の利得を調整して受信信号を出力する利得調整部を備え、
前記制御部は、利得調整部の調整度合いを指示することで、受信信号の減衰量を調整することを特徴とする請求項１記載の無線通信装置。
【請求項３】
前記利得調整部は、受信した無線信号を、増幅する増幅部および減衰するアッテネータと、前記増幅部およびアッテネータを切り替える切替部とを備え、
前記制御部は、受信信号の減衰量を増加させたいときに、前記アッテネータ側に切り替えるよう前記切替部に指示することを特徴とする請求項２記載の無線通信装置。
【請求項４】
前記受信した無線信号を局部発信部からの信号に基づいてベースバンド信号へ復調する復調部と、
前記ベースバンド信号を受信信号として受信データに変換するＡＤ変換部と、
前記ＡＤ変換部が受信データに変換するときの閾値を設定する調整部とを備え、
前記制御部は、前記調整部の閾値を設定することにより、受信信号の減衰量を調整することを特徴とする請求項１記載の無線通信装置。
【請求項５】
前記制御部は、受信データのエラー発生回数に応じて、受信信号の減衰量を調整することを特徴とする請求項１から４のいずれかの項に記載の無線通信装置。
【請求項６】
前記制御部は、無線信号のＲＳＳＩに応じて、受信信号の減衰量を調整することを特徴とする請求項１から４のいずれかの項に記載の無線通信装置。
【発明の詳細な説明】
【技術分野】
【０００１】
本発明は、無線信号をアンテナから受信して受信信号とする無線通信装置に関する。
【背景技術】
【０００２】
物品に設けられたＲＦタグの情報を、ＲＦＩＤリーダライタ装置により非接触で読み込み管理することで、管理される物品の量が膨大となっても容易に保管場所の検索や在庫量を把握することができるので、書籍の管理やＣＤ（Ｃｏｍｐａｃｔ  Ｄｉｓｃ）／ＤＶＤ（Ｄｉｇｉｔａｌ  Ｖｅｒｓａｔｉｌｅ  Ｄｉｓｋ）などの管理に、益々用いられるものと思われる。ＲＦタグは、ＲＦＩＤリーダライタ装置に設けられたアンテナ装置から電磁誘導により供給された電力で動作し、ＲＦタグの負荷変動をＲＦＩＤリーダライタ装置で受信することで、ＲＦタグの情報が読み取られる。
【０００３】
ＲＦＩＤリーダライタ装置では、ある程度、ＲＦタグにアンテナを近づけた状態で読み取られるが、ＲＦタグからの受信電界強度（Ｒｅｃｅｉｖｅｄ  Ｓｉｇｎａｌ  Ｓｔｒｅｎｇｔｈ  Ｉｎｄｉｃａｔｏｒ，以下、ＲＳＳＩと称する。）が大きいと、過大な受信信号となり正確に受信することができない。また、ＲＦタグが遠すぎると、受信信号が微弱となり、やはり正確に受信することができない。
【０００４】
このようなＲＳＳＩが大きく異なるような受信信号を正確に受信することができる無線通信装置として（特許文献１）に記載されたものがある。
【特許文献１】特開２００２−９４４０８号公報
【発明の開示】
【発明が解決しようとする課題】
【０００５】
受信信号のＲＳＳＩは、送信側との距離にもよるが、例えばＲＦタグの種類によっても大きく異なる。大きな送信信号レベルを出力するＲＦタグもあれば、微弱なレベルのＲＦタグもある。従って、それらのＲＦタグを読み取る場合においても、ＲＦリーダライタ装置に搭載される無線通信装置は、正確に受信データを得ることが要求される。
【０００６】
そこで本発明は、受信信号のレベルの幅が大きくても、正確に受信信号を得ることが可能な無線通信装置を提供することを目的とする。
【課題を解決するための手段】
【０００７】
本発明の無線通信装置は、無線信号をアンテナから受信して受信信号とする無線通信装置において、前記受信信号の受信状態に応じて、受信信号の減衰量を調整する制御部を備えたことを特徴とする。
【発明の効果】
【０００８】
本発明の無線通信装置によれば、受信状態に応じて制御部が、受信信号の減衰量を調整することで、最適な信号レベルとすることができるので、受信信号のレベルの幅が大きくても、正確に受信信号を得ることが可能である。
【発明を実施するための最良の形態】
【０００９】
第１の発明は、無線信号をアンテナから受信して受信信号とする無線通信装置において、受信信号の受信状態に応じて、受信信号の減衰量を調整する制御部を備えたことを特徴としたものである。
【００１０】
本発明の無線通信装置は、送信側との距離や、送信装置の種類に応じてレベルが変化する無線信号を受信して受信信号とするが、受信状態に応じて制御部が、受信信号の減衰量を調整するので、最適な信号レベルとすることができる。
【００１１】
第２の発明は、受信した無線信号の利得を調整して受信信号を出力する利得調整部を備え、上記制御部は、利得調整部の調整度合いを指示することで、受信信号の減衰量を調整することを特徴としたものである。
【００１２】
利得調整部は、受信した無線信号の利得を調整して受信信号を出力する。制御部は、利得調整部の調整度合いを指示することで、受信信号の減衰量を調整する。従って、無線信号のレベルが過大なときには減衰量を大きくし、微弱なときには減衰をしないで増幅する。そうすることで、最適な信号レベルとすることができる。
【００１３】
第３の発明は、上記利得調整部は、受信した無線信号を、増幅する増幅部および減衰するアッテネータと、上記増幅部およびアッテネータを切り替える切替部とを備え、
上記制御部は、受信信号の減衰量を増加させたいときに、上記アッテネータ側に切り替えるよう上記切替部に指示することを特徴としたものである。
【００１４】
制御部は、受信した無線信号を、減衰しないで増幅したい場合には、増幅部側に切替部を切り替え、減衰したい場合には、アッテネータ側に切替部を切り替える。そうすることで、最適な信号レベルとすることができる。
【００１５】
第４の発明は、上記受信した無線信号を局部発信部からの信号に基づいてベースバンド信号へ復調する復調部と、上記ベースバンド信号を受信信号として受信データに変換するＡＤ変換部と、上記ＡＤ変換部が受信データに変換するときの閾値を設定する調整部とを備え、上記制御部は、上記調整部の閾値を設定することで、受信信号の減衰量を調整することを特徴としたものである。
【００１６】
ＡＤ変換部によりベースバンド信号を、受信データに変換するときに、制御部が、変換する閾値を設定する調整部に、所定の閾値を設定する。つまり、過大入力により入力信号レベルが高いときには閾値を上げる。入力信号レベルが高いときには入力ノイズレベルも高い傾向にある。従って、閾値を上げることで、入力ノイズをキャンセルすることができるので、過大信号入力時の信号判定を適切に行うことができる。また、入力信号レベルが低いときには閾値を下げる。入力信号レベルが高い場合とは反対に、入力信号レベルが低いときには入力ノイズレベルも低い傾向にある。従って、閾値を低くすることで、微少信号入力時でも信号判定を適切に行うことができる。このように、無線信号が過大なときには閾値を上げ、微弱な無線信号のときには閾値を下げることで、ＡＤ変換部からの出力を最適な信号レベルとすることができる。
【００１７】
第５の発明は、制御部は、受信データのエラー発生回数に応じて、受信信号の減衰量を調整することを特徴としたものである。
【００１８】
無線信号が過大なレベルな場合や、微弱なレベルの場合には、受信データはエラーが発生しやすい。従って、受信データのエラーの発生回数に応じて、受信信号の減衰量を調整することで、受信状態に応じて最適な信号レベルとすることができる。
【００１９】
第６の発明は、制御部は、無線信号のＲＳＳＩに応じて、受信信号の減衰量を調整することを特徴としたものである。
【００２０】
無線信号が過大なレベルか、微弱なレベルかを、無線信号のＲＳＳＩを測定することで判定すれば、確実に判別することができる。特に、ＲＳＳＩと共に、受信データのエラーの発生回数に応じて最適な減衰量とすることで、受信状態に応じて最適な信号レベルとすることができる。従って、正確に無線信号を受信することができる。
【００２１】
（実施の形態）
本発明の実施の形態に係る無線通信装置を、ＲＦＩＤリーダライタ装置を例に、図面に基づいて説明する。図１は、本発明の実施の形態に係るＲＦＩＤリーダライタ装置の構成を示す図である。
【００２２】
図１に示すように、ＲＦＩＤリーダライタ装置１は、ＲＦタグとＵＨＦ帯（３００ＭＨｚ〜３０００ＭＨｚ）を利用して、ダイレクトコンバージョン方式で通信する装置であり、送信部２と、受信部３と、局部発振部４と、制御部５とを備えている。
【００２３】
送信部２は、送信信号生成部２１と、ＤＡ変換部２２と、変調部２３と、送信アンテナ部２４とを備えている。
【００２４】
送信信号生成部２１は、制御部５からの送信データを、ＲＦタグとの通信に用いるパケットデータに変換する。ＤＡ変換部２２は、デジタル信号であるパケットデータをベースバンド信号へ変換する。変調部２３は、ベースバンド信号を、局部発振部４からの８５０−２５００ＭＨｚ帯の信号に基づいて振幅変調して送信アンテナ部２４から無線信号を送信する。なお、図１に示す送信部２においては、ベースバンド信号や、変調された高周波帯の信号を増幅する増幅部や、ＤＡ変換部２２が変換した信号が含むサンプリングノイズを除去するフィルタなどは、図示していない。
【００２５】
受信部３は、受信アンテナ部３１と、利得調整部３２と、復調部３３と、ハイパスフィルタ部３４と、増幅部３５と、ＡＤ変換部３６と、応答信号解読部３７と、エラー検出部３８とを備えている。
【００２６】
利得調整部３２は、受信アンテナ部３１が受信した無線信号の利得を、制御部５からの指示により調整する。ここで、利得調整部３２について、図２に基づいて詳細に説明する。図２は、図１に示すＲＦＩＤリーダライタ装置１の利得調整部３２の一例を示す図である。図２に示すように、利得調整部３２は、増幅部３２１と、アッテネータ３２２と、増幅部３２１およびアッテネータ３２２を切り替える第１スイッチＳＷ１１および第２スイッチＳＷ１２とを備えている。この第１スイッチＳＷ１１と第２スイッチＳＷ１２とを、制御部５が切り替えることで、信号レベルを増幅する増幅部３２１か、信号レベルを減衰するアッテネータ３２２かを選択する。この第１スイッチＳＷ１１および第２スイッチＳＷ１２は、アナログスイッチ、例えばＳＰＤＴ（ｓｉｎｇｌｅ−ｐｏｌｅ  Ｄｏｕｂｌｅ  ｔｈｒｏｗ）スイッチを使用することができる。またＳＰＤＴスイッチを、ダイオードなどを用いて等価回路で構成してもよい。
【００２７】
図１に戻って、復調部３３は、局部発振部４からの信号に基づいて復調し、ベースバンド信号を出力する。ハイパスフィルタ部３４は、ベースバンド信号から余分信号を除去する機能を備えている。ここでハイパスフィルタ部３４を、図３に基づいて説明する。図３は、図１に示すＲＦＩＤリーダライタ装置のハイパスフィルタ部３４の一例を示す図である。図３に示すように、ハイパスフィルタ部３４は、複数の濾過部であるコンデンサＣ（Ｃ１〜Ｃ４および抵抗Ｒ１と、切替部であるスイッチＳＷ２１とを備えている。このスイッチＳＷ２１を制御部５が切り替えることで、ベースバンド信号に含まれるＤＣ成分である余分信号を除去する遮断周波数を変更することができる。このスイッチＳＷ２１は、ＳＰ４Ｔ（ｓｉｎｇｌｅ−ｐｏｌｅ  ４  ｔｈｒｏｗ）スイッチを使用することができる。コンデンサＣは、標準的な容量としたコンデンサＣ１と、ＲＳＳＩを測定する際に接続されるコンデンサＣ１より容量の大きいＣ２、反対にコンデンサＣ１より容量の小さいＣ３と、更にコンデンサＣ３よりも小さいコンデンサＣ４としている。
【００２８】
図１に戻って、増幅部３５は、余分信号が除去されたベースバンド信号を増幅する。ＡＤ変換部３６は、ＡＤコンバータ３６１と、データ処理部３６２と、閾値設定部３６３とを備えている。ＡＤコンバータ３６１は、ベースバンド信号をサンプリングして信号レベルに応じた多ビットのデジタル信号を出力する。データ処理部３６２は、ＡＤコンバータ３６１からの多ビットのデジタル信号を所定の閾値に基づき、閾値以上であれば「１」に、閾値未満であれば「０」に変換することでビット列の信号を出力する。またデータ処理部３６２は、ＡＤコンバータ３６１からの多ビットのデジタル信号をＲＳＳＩとして、制御部５へ通知する。閾値設定部３６３は、制御部５からの設定によりデータ処理部３６２が多ビットからビット列へ変換する閾値を変更する。応答信号解読部３７は、出力されたビット列の信号から受信パケットを識別するデコード処理を行ってパケットデータを制御部５へ出力したり、エラー検出部３８は、識別された受信パケットに、エラーの発生有無を検出する。エラーの発生は、プリアンブルエラーや、ＣＲＣ（Ｃｙｃｌｉｃ  Ｒｅｄｕｎｄａｎｃｙ  Ｃｈｅｃｋ）エラーなどを検出する。
【００２９】
局部発振部４は、局部発振器４１と、周波数設定部４２とを備えている。局部発振器４１は、９００ＭＨｚを出力する発振器である。周波数設定部４２は、局部発振器４１が出力する周波数を±１００ＫＨｚの間でオフセットさせる。
【００３０】
制御部５は、装置全体を統括制御するものであり、パケットデータに基づいて処理を行う。また、制御部５は、利得調整部３２、ハイパスフィルタ部３４の各スイッチの切り替え、および閾値設定部３６３の閾値の設定を行う。
【００３１】
以上のように構成される本発明の実施の形態に係るＲＦＩＤリーダライタ装置１の動作を、図面に基づいて説明する。図４は、ＲＦＩＤリーダライタ装置の動作全体を示す図である。図５は、ハイパスフィルタ部の遮断周波数を示す図である。図６は、ＲＦタグとの通信に使用されるチャンネルを示す図である。図７（Ａ）は、通信するときのパケットの状態を示す図であり、（Ｂ）は受信モードを示す図である。図８は、図４に示す読み取り動作を示すフローチャートである。
【００３２】
ＲＦＩＤリーダライタ装置１は、ＲＦタグと通信するときには、図４に示されるように、まず、空いているチャンネルを探すためにＲＳＳＩを測定することで、リッスン・ビフォア・トークを行う（Ｓ１０）。
【００３３】
制御部５は、利得調整部３２の第１スイッチＳＷ１１および第２スイッチＳＷ１２を増幅部３２１側へ接続する。また、制御部５は、ハイパスフィルタ部３４のスイッチＳＷ２１をコンデンサＣ２に接続して、遮断周波数を下げる。図５に示すように、ハイパスフィルタ部３４は、標準的なコンデンサＣ１では、特性Ｆｃ１の遮断周波数となる。この特性の状態で、ＲＳＳＩを測定すると、復調部３３で復調されたＲＳＳＩ検出データ周波数成分を除去あるいは減衰してしまう。従って、コンデンサＣ１より容量の大きいコンデンサＣ２に接続を切り替えて、遮断周波数を下げて高ゲインモードとした特性Ｆｃ２とすることで、周囲で他の通信が行われていないことを確認することができる。
【００３４】
そのときに、制御部５は、周波数設定部４２にオフセットを設定して、局部発振器４１の発振周波数をオフセットさせる。図６に示すように、例えば、ＲＦタグとの通信に６つのチャンネルを使用している場合、チャンネルごとでの通信で使用される搬送周波数Ｆｒｘに対して、局部発振器４１が発振する信号周波数を、設定チャンネル周波数間隔未満のＦｌｏとする。本実施の形態では、オフセット量を±１０ＫＨｚとしており、図６では＋１０ＫＨｚの場合を図示している。これは、ＲＳＳＩを測定するときに、局部発振器４１からの信号周波数を搬送周波数とすると、搬送波のみを受信したときに、ハイパスフィルタ部３４にて除去されてしまい正確に測定することが困難となってしまう。従って、制御部５が、信号周波数をオフセットするように周波数設定部４２へ設定することで、その差分のレベルが、増幅部３５で増幅され、ＡＤコンバータ３６１でデジタル変換されてデータ処理部３６２でＲＳＳＩとして測定することができるので、正確にＲＳＳＩを測定することができる。
【００３５】
このようにして空きチャンネルを探したＲＦＩＤリーダライタ装置１は、ＲＦＩＤタグとの通信を開始する（Ｓ２０）。
【００３６】
図７（Ａ）に示すように、ＲＦタグとの通信は、まず送信部２から送信データを送信することにより、電力供給とコマンド送信を行って、応答データを待つ。応答データは、パイロットトーンと、受信データと、ＣＲＣとが含まれる。ＲＦＩＤリーダライタ装置１は、このパイロットトーンを同期信号として受信し、受信データをＣＲＣによりチェックを行って受信データに基づいて処理を行っている（Ｓ３０）。
【００３７】
このＳ３０にて行われる読み取り動作について、図８に基づいて詳細に説明する。応答データを受信する際には、制御部５により、動作パラメータの設定を行う（Ｓ１００）。動作パラメータの設定は、読み取るＲＦタグの種別の選択（Ａタグ／Ｂタグ）と、ＲＦタグの読み取り枚数（ｎ１）と、受信エラー判定回数の設定と、応答レベルの設定とを行う。受信エラー判定回数の設定は、応答データのＲＳＳＩが標準的な場合（ｅ１）と、過大な場合（ｅ２）との２種類である。また応答レベルは、高い無線信号レベルの場合（ｐ１）と、低い無線信号レベルの場合（ｐ２）との２種類である。また、（ｍ１）は、設定された読取回数である。
【００３８】
次に、制御部５は、標準ゲインモードとするために、利得調整部３２と、ハイパスフィルタ部３４と、ＡＤ変換部３６とに標準的な設定を行う。つまり、利得調整部３２は、第１スイッチＳＷ１１および第２スイッチＳＷ１２が増幅部３２１側に接続された状態である。ハイパスフィルタ部３４は、スイッチＳＷ２１が、コンデンサＣ１に接続された状態である。ＡＤ変換部３６の閾値設定部３６３は、標準的な閾値に設定されている（Ｓ１１０）。
【００３９】
次に、ＲＦＩＤリーダライタ装置１は、ＲＦタグに読取コマンドを送信して、応答データを受信する（Ｓ１２０）。受信した応答データは、データ処理部３６２により応答レベル（ＲＳＳＩ）が測定され、パケットデータとして制御部５へ出力される。また、エラー検出部３８により、パイロットトーンのチェックおよびＣＲＣチェックが行われる（Ｓ１３０）。
【００４０】
制御部５は、エラー検出部３８からエラー発生の有無を判定する（Ｓ１４０）。制御部５は、エラー発生の通知がなければ、パケットデータに基づいて処理を行うが、Ｓ１００で設定されたＲＦタグの読み取り枚数（ｎ１）に達していない場合には、Ｓ１００へ移行して２枚目以降の読み取りを行う。全てのＲＦタグの読み取りが終了していれば、通信を終了する（Ｓ１５０）。
【００４１】
Ｓ１４０にて、受信エラーの発生が検出されていれば、読み取りを行った回数を判定する。読み取りを行った回数が、Ｓ１００で設定された読み取り回数（ｍ１）に達している場合には、そのＲＦタグからの読み取りを断念して、Ｓ１５０へ移行する（Ｓ１６０）。
【００４２】
Ｓ１６０にて、読み取りを行った回数が、Ｓ１００で設定された読み取り回数（ｍ１）に達していないときには、エラー発生回数を判定する（Ｓ１７０）。
【００４３】
ここで、エラー発生回数の判定について説明する。パイロットトーンエラー発生回数をｅｅ１とし、ＣＲＣエラー発生回数をｅｅ２としたときに、エラー発生回数の判定は、以下の条件で行うことができる。
【００４４】
第１の判定としては、パイロットトーンエラー発生回数ｅｅ１と、またはＣＲＣエラー発生回数ｅｅ２との合計が、Ｓ１００で設定された受信エラー判定回数を超えたことを条件とする。
【００４５】
また、第２の判定としては、パイロットトーンエラー発生回数ｅｅ１か、またはＣＲＣエラー発生回数ｅｅ２のいずれかが、Ｓ１００で設定された受信エラー判定回数を超えたことを条件とする。
【００４６】
この第１の判定または第２の判定によって条件を満したことが判定されたときに、Ｓ１１０へ移行して、ハイパスフィルタ部３４のスイッチＳＷ２１を、低ゲインモードとするために、コンデンサＣ４に接続してハイパスフィルタ部３４の遮断周波数を上げる。そうすることで、過大な無線信号による受信エラーの発生を抑止することができる。
【００４７】
また、ハイパスフィルタ部３４の遮断周波数を上げた低ゲインモードにおいては、以下の条件で判定を行う。第３の判定は、パイロットトーンエラー発生回数ｅｅ１と、またはＣＲＣエラー発生回数ｅｅ２との合計が、Ｓ１００で設定された受信エラー判定回数の所定倍した数を超えたことを条件とする。
【００４８】
また、第４の判定は、パイロットトーンエラー発生回数ｅｅ１か、またはＣＲＣエラー発生回数ｅｅ２のいずれかが、Ｓ１００で設定された受信エラー判定回数の所定倍した数を超えたことを条件とする。
【００４９】
この第３の判定または第４の判定によって条件を満したことが判定されたときに、Ｓ１１０へ移行して、ハイパスフィルタ部３４のスイッチＳＷ２１を、標準ゲインモードまたは高ゲインモードとするために、コンデンサＣ１またはＣ２に接続してハイパスフィルタ部３４の遮断周波数を下げる。そうすることで、標準ゲインモードから低ゲインモードへ、そして標準ゲインモード、あるいは高ゲインモードと、ゲインモードを変更して、最適な無線受信環境を設定することができる。また、ゲインモードを変更していくうちに無線環境が変化して、ＲＦタグからの無線信号が読み取れることがある。従って、ゲインモードを次々と変更することで、通信可能な確率を高くすることができる。
【００５０】
これらの判定により、ハイパスフィルタ部３４の遮断周波数を変更してゲインを調整したが、同時に利得調整部３２や、ＡＤ変換部３６の設定も変更することが可能である。
【００５１】
標準ゲインモードにおいて、第１の判定または第２の判定により、エラー発生回数の条件が満たされたと判定された場合には、制御部５は、利得調整部３２の第１スイッチＳＷ１１および第２スイッチＳＷ１２を切り替えて、接続を増幅部３２１からアッテネータ３２２へ変更する。そうすることで、過大な受信信号を減衰させることができる。また、受信信号レベルが高いときに受信ノイズレベルも高い傾向にあるため、制御部５は、閾値設定部３６３に設定された標準的な閾値を高い値とすることで、受信データのレベルを低く抑えて受信ノイズをキャンセルする。そうすることで、過大信号入力時の信号判定を適切に行うことができる。このようにして標準ゲインモードから低ゲインモードとする。
【００５２】
また、同様に、低ゲインモードにおいて、第１の判定、または第２の判定により、エラー発生回数が判定された場合には、制御部５は、利得調整部３２の第１スイッチＳＷ１１および第２スイッチＳＷ１２を切り替えて、接続をアッテネータ３２２から増幅部３２１へ変更する。また、制御部５は、閾値設定部３６３に設定された標準的な閾値より高くした値を、標準的な値、もしくは標準的な値よりも更に低い値とする。受信信号レベルが高い場合とは反対に、受信信号レベルが低いときには入力ノイズレベルも低い傾向にある。従って、微少信号入力時の信号判定を適切に行うことができる。このようにして低ゲインモードから標準ゲインモード、もしくは高ゲインモードとする。
【００５３】
第１の判定から第４の判定までは、エラー発生回数のみで判定を行っているが、第５の判定として、Ｓ１３０で測定された応答レベルを判定の条件とすることも可能である。
【００５４】
応答レベルを判定の条件とするときには、標準ゲインモードのときに、第１の判定から第４の判定のいずれか、または応答レベルが、高い無線信号レベルｐ１より高いと判定された場合には、低ゲインモードとする。低ゲインモードのときは、第１の判定から第４の判定のいずれか、または応答レベルが、低い無線信号レベルｐ２より低いと判定された場合には、標準ゲインモードまたは低ゲインモードとする。
【００５５】
ＲＦＩＤリーダライタ装置１が、標準ゲインモードから低ゲインモードへ、そして標準ゲインモードまたは高ゲインモードと切り替えてＲＦタグとの通信が可能となると、読み込んだＲＦタグからの受信データに含まれるＲＦタグを識別する識別情報と、利得調整部３２、ハイパスフィルタ部３４、およびＡＤ変換部３６の設定とを関連づけて記憶する。例えば、これらの設定をＡタグまたはＢタグとして記憶することで、次回、同じ識別情報を有するＲＦタグからデータを読み込むときには、最初からこのＡタグまたはＢタグとして記憶をされた設定を行うことで、最適な通信環境でＲＦタグと送受信を行うことができる。
【００５６】
Ｓ１７０にて、エラー発生回数が各判定の条件を満たしていないときには、Ｓ１２０へ移行して再度、読み取りを行う。
【００５７】
このように、無線信号のレベルや、エラー発生回数に応じて、利得調整部３２、ハイパスフィルタ部３４、ＡＤ変換部３６のゲインを調整することで、受信信号のレベルの幅が大きくても、正確に受信信号を得ることが可能であり、受信環境に応じて、最適な受信状態とすることが可能である。
【産業上の利用可能性】
【００５８】
本発明は、受信信号のレベルの幅が大きくても、正確に受信信号を得ることが可能なので、無線信号をアンテナから受信して受信信号とする無線通信装置に好適である。
【図面の簡単な説明】
【００５９】
【図１】本発明の実施の形態に係るＲＦＩＤリーダライタ装置の構成を示す図
【図２】図１に示すＲＦＩＤリーダライタ装置の利得調整部の一例を示す図
【図３】図１に示すＲＦＩＤリーダライタ装置のハイパスフィルタ部の一例を示す図
【図４】ＲＦＩＤリーダライタ装置の動作全体を示す図
【図５】ハイパスフィルタ部の遮断周波数を示す図
【図６】ＲＦタグとの通信に使用されるチャンネルを示す図
【図７】（Ａ）通信するときのパケットの状態を示す図、（Ｂ）受信モードを示す図
【図８】図４に示す読み取り動作を示すフローチャート
【符号の説明】
【００６０】
１    ＲＦＩＤリーダライタ装置
２    送信部
３    受信部
４    局部発振部
５    制御部
２１    送信信号生成部
２２    ＤＡ変換部
２３    変調部
２４    送信アンテナ部
３１    受信アンテナ部
３２    利得調整部
３３    復調部
３４    ハイパスフィルタ部
３５    増幅部
３６    ＡＤ変換部
３７    応答信号解読部
３８    エラー検出部
４１    局部発振器
４２    周波数設定部
３２１    増幅部
３２２    アッテネータ
３６１    ＡＤコンバータ
３６２    データ処理部
３６３    閾値設定部
【図１】
2008010915.tif 000003
【図２】
2008010915.tif 000004
【図３】
2008010915.tif 000005
【図４】
2008010915.tif 000006
【図５】
2008010915.tif 000007
【図６】
2008010915.tif 000008
【図７】
2008010915.tif 000009
【図８】
2008010915.tif 000010